【手続補正書】
【提出日】平成23年4月27日(2011.4.27)
【手続補正１】
【補正対象書類名】特許請求の範囲
【補正対象項目名】全文
【補正方法】変更
【補正の内容】
【特許請求の範囲】
【請求項１】
第１トランスミッションインターフェースと、
第１セットの動力伝達部材であって、前記第１トランスミッションインターフェースに少なくとも間接的に結合される複数のギヤからなり、複数のギヤのそれぞれは一つの円周及びその円周の全長に亘り間隔を空けて配置された複数の歯を有し、複数の動力伝達部材のそれぞれは各旋回経路に沿って移動するように構成され、前記旋回経路は、複数のギヤのそれぞれの外側にある軸の全周に延びており、複数の動力伝達部材の各旋回経路長は固有のギヤ比が各旋回経路長に対して定義されるよう選択的に変更される第１セットの動力伝達部材と、
第１セットの動力伝達部材の複数のギヤと噛合するように構成され、第１セットの動力伝達部材の複数の歯と実質的に常時噛合を維持するよう集合的に構成される１つ以上の噛合構造を含む第２セットの１つ以上の動力伝達部材と、
第２セットの１つ以上の動力伝達部材に結合される第２トランスミッションインターフェースと
を備えるトランスミッション。
【請求項２】
請求項１記載のトランスミッションは、更に、
第２セットの１つ以上の動力伝達部材を噛合させると共に第２セットの１つ以上の動力伝達部材の径方向への動きを選択的に案内する案内構造を備え、
前記案内構造は、第１セットの動力伝達部材から離間しているトランスミッション。
【請求項３】
請求項１記載のトランスミッションは、更に、
第１セットの動力伝達部材及び第２セットの１つ以上の動力伝達部材に接続される制御システムを備え、
前記制御システムは、第１トランスミッションインターフェースにおける入力回転の定常速度で、複数の異なるギヤ比間の変化を均一化するよう操作されるトランスミッション。
【請求項４】
請求項１記載のトランスミッションにおいて、
第１セットの動力伝達部材の複数のギヤは、各内部軸周りを回転するようにそれぞれ構成され、トランスミッションは、更に、
複数のギヤを前記各内部軸周りに選択的に回転させると共に、噛合構造に対して複数の歯の位置を一致させるように構成された１つ以上の基準ギヤと、
前記噛合構造に噛合して入り込む複数の歯と
を備えているトランスミッション。
【請求項５】
請求項１記載のトランスミッションにおいて、
複数のギヤのうちの２つ以上のギヤが第２セットの１つ以上の動力伝達部材に噛合している間、前記旋回経路長が変化するトランスミッション。
【請求項６】
請求項１記載のトランスミッションにおいて、
前記第２セットの１つ以上の動力伝達部材は、前記第２トランスミッションインターフェースから入力トルクを受けると共に、前記入力トルクを前記第１セットの動力伝達部材へと伝達するように配置されているトランスミッション。
【請求項７】
請求項１記載のトランスミッションにおいて、
前記第１セットの動力伝達部材は、前記第１トランスミッションインターフェースからトルク入力を受けると共に、前記トルク入力を前記第２セットの１つ以上の動力伝達部材へ伝達するように配置され、前記第２セットの１つ以上の動力伝達部材は、トルク出力を前記第２トランスミッションインターフェースへ伝達するように配置されているトランスミッション。
【請求項８】
請求項７記載のトランスミッションにおいて、
前記第１セットの動力伝達部材は、更に、前記入力インターフェースから受けるトルク入力に応じて各内部軸周りを回転するように構成され、前記第１セットの動力伝達部材の複数のギヤの各々が旋回運動及び回転運動の両方を行うように配置されているトランスミッション。
【請求項９】
請求項１記載のトランスミッションにおいて、
前記第１セットの動力伝達部材の複数のギヤは、第１セットの同軸駆動ギヤを備え、前記第２セットの１つ以上の動力伝達部材は、互いに対して軸方向にオフセットされる第１セットの従動ギヤを備え、前記第１セットの同軸駆動ギヤは、軸方向にオフセットされる従動ギヤセットと実質的に軸方向に整列されているトランスミッション。
【請求項１０】
請求項９記載のトランスミッションは、更に、
軸方向にオフセットされる従動ギヤセットと共に実質的に軸方向に整列される第２セットの同軸駆動ギヤを備えているトランスミッション。
【請求項１１】
請求項１０記載のトランスミッションにおいて、
前記第１セットの同軸駆動ギヤ及び前記第２セットの同軸駆動ギヤは、各々の同心旋回経路に沿って旋回するように配置され、前記従動ギヤセットは、各々のオフセットされた回転軸を中心に回転するように配置され、前記オフセットされた回転軸は、前記第１セットの同軸駆動ギヤ及び前記第２セットの同軸駆動ギヤの同心旋回経路の中心を通る軸に対し角をなすようにしてオフセットされているトランスミッション。
【請求項１２】
請求項１記載のトランスミッションにおいて、
前記第１セットの動力伝達部材の複数のギヤは、共通の旋回経路に沿って旋回するように配置され、かつ実質的に軸方向に整列された複数の駆動ギヤを備え、前記第２セットの１つ以上の動力伝達部材は、実質的に軸方向に整列された複数の駆動ギヤが共通の旋回経路に沿って旋回するとき、実質的に軸方向に整列された複数の駆動ギヤのそれぞれによって交互に噛合可能である実質的に軸方向に整列された複数の従動ギヤを備えているトランスミッション。
【請求項１３】
請求項１２記載のトランスミッションにおいて、
前記共通の旋回経路は、選択的に変更可能な長さを有し、前記複数の駆動ギヤ及び前記複数の従動ギヤは、選択的に変更可能な旋回経路の複数の不連続長さのみで互いに噛合すると共に、共通の旋回経路長と不連続長さとが実質的に同一でない間にその噛合が選択的に解除されるよう構成されているトランスミッション。
【請求項１４】
複数の動力伝達ギヤのセットであって、前記複数の動力伝達ギヤのそれぞれは一つの円周及びその円周の全長に亘り間隔を空けて配置された複数の歯を有し、複数の動力伝達ギヤのそれぞれは各旋回経路の全周を移動するように構成され、複数の動力伝達ギヤの各旋回経路長は、異なるギヤ比が旋回経路の種々の長さに対して定義されるよう選択的に変更される複数の動力伝達ギヤのセットと、
１つ以上の動力伝達部材のセットであって、動力伝達ギヤの複数の歯を受け入れるように構成された複数の噛合構造を含み、複数の動力伝達ギヤのセットに噛合され、複数のギヤ比のそれぞれで１つ以上の動力伝達ギヤのセットと実質的に常時噛合を維持するように構成されている１つ以上の動力伝達部材のセットと
を備える動力変換システム。
【請求項１５】
請求項１４記載の動力変換システムにおいて、
各ギヤ比で、動力伝達ギヤが、１つ以上の動力伝達部材のセットのうちの１つに噛合される動力変換システム。
【請求項１６】
請求項１４記載の動力変換システムにおいて、
複数の動力伝達ギヤは、複数の駆動ギヤと、複数の従動部材からなる１つ以上の動力伝達部材のセットとを備える動力変換システム。
【請求項１７】
請求項１６記載の動力変換システムにおいて、
複数の駆動ギヤのそれぞれは、各内部軸の全周を回転すると共に、複数の従動部材を噛合させるように構成されている動力変換システム。
【請求項１８】
回転動力の入力を受けるように構成されるトランスミッション入力インターフェースと、
前記トランスミッション入力インターフェースに結合され、複数の異なる半径方向位置のいずれかに対し半径方向へと選択的に直動するように構成され、かつ各円周の全長に亘り間隔を空けて配置された複数の歯を有する複数の駆動部材と、
複数の駆動ギヤのギヤ歯を受けるように、かつ複数の駆動ギヤと実質的に常時噛合を維持するように構成された１つ以上の従動部材であって、複数の駆動ギヤから動力の入力を受けるように構成され、複数の駆動ギヤの異なる半径方向の各位置で複数の駆動ギヤと実質的に常時噛合を維持するように構成される１つ以上の従動部材と、
前記１つ以上の従動部材に結合され、トルクの入力に対応するトルクの出力を伝達するように構成されるトランスミッション出力インターフェースと
を備えるトランスミッション。
【請求項１９】
請求項１８記載のトランスミッションにおいて、
前記１つ以上の従動部材は１つ以上のリングギヤを含み、そのリングギヤは、半径方向に直動する複数の駆動ギヤのギヤ歯形状に対応する内部ギヤ歯形状を有しているトランスミッション。
【請求項２０】
請求項１８記載のトランスミッションにおいて、
前記１つ以上の従動部材は、半径方向の直動運動によって、１つ以上の駆動部材との噛合を維持するように構成されているトランスミッション。
【請求項２１】
請求項１８記載のトランスミッションは、更に、
ギヤ比の１回以上の変化にかかわらず、前記駆動部材と前記従動部材との間の噛合が複数の不連続ギヤ比で実質的に維持されるように、複数の駆動ギヤ及び前記１つ以上の従動部材を同期化するための手段を備えているトランスミッション。
【請求項２２】
請求項２１記載のトランスミッションにおいて、
前記１つ以上の駆動部材及び前記１つ以上の従動部材を同期化するための手段は、
複数の駆動ギヤに接続され、前記回転動力の入力を受けて複数の駆動ギヤを回転させるように構成される比率基準部材と、
前記比率基準ギヤと噛合される基準ギヤと
を備えるトランスミッション。
【請求項２３】
請求項２２記載のトランスミッションにおいて、
複数の駆動ギヤ及び１つ以上の従動部材を同期化するための手段は、
複数の駆動ギヤ及び１つ以上の従動部材がその中心周りに回転するように構成された複数のピボット部材と、
前記１つ以上の駆動部材及び前記１つ以上の従動部材に連結され、１つ以上の駆動ギヤ及び１つ以上の従動部材を複数のピボット部材の周りに回転させるように構成される１つ以上のリンクと
を備えるトランスミッション。
【請求項２４】
請求項１８記載のトランスミッションにおいて、
複数の駆動ギヤは、複数の駆動ギヤの各中心からオフセットされる軸の周りに旋回するように構成され、前記複数の駆動ギヤの直動は、半径方向に、複数の駆動ギヤの旋回経路長の変更に対応しているトランスミッション。
【請求項２５】
請求項２４記載のトランスミッションにおいて、
前記複数の駆動ギヤは、旋回経路に沿って旋回するとき、１つ以上の従動部材を交互に噛合させるように構成されているトランスミッション。
【請求項２６】
請求項２４記載のトランスミッションにおいて、
前記旋回経路長の変更は、ギヤ比の変更に対応し、
前記旋回経路長は、不連続増分に変更可能であり、
各増分は、複数の駆動ギヤの複数のギヤ歯に対して完全なギヤ歯整数であるトランスミッション。
【請求項２７】
トルク入力を受けるように構成されるトランスミッション入力インターフェースと、
前記トランスミッション入力インターフェースに結合され、集合的に複数のギヤ比を形成するように構成される複数の駆動部材と、
前記複数の駆動部材と噛合するように構成される複数の従動部材であって、前記複数の駆動部材が周囲に配置される中心軸に対して半径方向に直動するように各々構成され、前記中心軸に対する第１半径方向位置から少なくとも前記中心軸に対する第２半径方向位置までの所定の直動経路に沿って直動するように各々配置され、前記複数の従動部材の各々に対する所定の直動経路が少なくとも１つの他の従動部材の所定の直動経路に対して角をなしてオフセットされる複数の従動部材と、
トルク出力を伝達するように構成され、前記複数の従動部材に結合され、前記複数の従動部材からトルクを受けるように構成されるトランスミッション出力インターフェースと
を備えるトランスミッション。
【請求項２８】
請求項２７記載のトランスミッションは、更に、
前記複数の従動部材をそれらの中心軸周りにそれぞれ同じ角速度で回転し続けるように構成される１つ以上の連動装置を備えるトランスミッション。
【請求項２９】
請求項２７記載のトランスミッションにおいて、
前記複数の駆動部材は、実質的な軸方向運動を防止するように固定され、前記複数の駆動部材は、前記複数の従動部材と軸方向に整列され、前記複数の駆動部材は、前記複数の従動部材との噛合を維持するよう半径方向に直動するように構成されるトランスミッション。
【請求項３０】
請求項２７記載のトランスミッションにおいて、
前記複数の駆動部材は、各中心軸周りに回転すると共に、共通の軸周りの１つ以上の旋回経路に沿って集合的に移動するように構成及び配置され、前記複数の従動部材は、共通の軸周りに旋回せずに各中心軸周りに回転するように配置されるトランスミッション。
【請求項３１】
請求項２７記載のトランスミッションにおいて、
前記複数の駆動部材及び前記複数の従動部材は、前記複数の駆動部材が集合的に前記複数の従動部材と死点噛合される頻度を規定するバーニヤの関係を有するトランスミッション。
【請求項３２】
請求項３１記載のトランスミッションにおいて、
前記複数の駆動部材及び前記複数の従動部材は、偶数対奇数、又は奇数対偶数の比を形成するトランスミッション。
【請求項３３】
請求項３２記載のトランスミッションにおいて、
前記複数の駆動部材の個数及び前記複数の従動部材の個数は、２：３、３：２、３：４、３：６、４：３、５：６、５：８、５：９、６：３、６：５、６：７、７：６、８：５、８：９、９：５、及び９：８からなる群より選ばれる比を形成するか、或いは前記比からなるトランスミッション。
【請求項３４】
請求項２７記載のトランスミッションにおいて、
前記複数の駆動部材は、駆動ギヤセットを備え、前記駆動ギヤセットの各駆動ギヤは、ほぼ同じ大きさ及びギヤ歯形状を有し、前記複数の従動ギヤは、従動ギヤセットを備え、前記従動ギヤセットの各従動ギヤは、ほぼ同じ大きさ及びギヤ歯形状を有するトランスミッション。
【請求項３５】
請求項２７記載のトランスミッションにおいて、
前記複数の駆動部材は、外部軸周りの旋回経路に沿って集合的に移動するように構成され、前記旋回経路長は、選択的に変更可能であるトランスミッション。
【請求項３６】
請求項３５記載のトランスミッションにおいて、
特定ギヤ比で、前記複数の駆動部材が前記旋回経路に沿って移動する場合、前記複数の駆動部材の各々は、前記複数の従動部材と個別に噛合解除及び噛合するように構成されるが、前記複数の駆動部材は、前記複数の従動部材と集合的に常時噛合を維持するように構成及び配置されているトランスミッション。
【請求項３７】
動力源から入力トルクを受けるように構成されるトランスミッション入力インターフェースと、
前記トランスミッション入力インターフェースに結合され、複数の駆動ギヤのそれぞれが一つの円周及びその円周の全長に亘るギヤ歯形状を有し、半径方向に直動するように構成される複数の駆動ギヤと、
前記複数の駆動ギヤのギヤ歯と噛合するように構成される複数の従動部材であって、ギヤ歯を係合させるように構成されたギヤ歯受け構造を有し、複数の駆動ギヤが複数のギヤ比で複数の駆動部材と実質的に常時噛合を維持するように構成された仮想ギヤを集合的に形成し、仮想ギヤは複数の駆動ギヤが半径方向に直動するにつれてその大きさを変化させるように構成され、前記仮想ギヤの異なる大きさは異なるギヤ比をそれぞれ形成する複数の従動部材と、
前記複数の従動部材に結合され、出力トルクを伝達するように構成され、その出力トルクは、前記仮想ギヤの大きさに係わるギヤ比によって入力トルクに関連しているトランスミッション出力インターフェースと
を備えるトランスミッション。
【請求項３８】
請求項３７記載のトランスミッションにおいて、
前記複数の従動部材は、複数のリングギヤを備え、前記複数のリングギヤは、円周上に離れて配置され、前記仮想ギヤは、前記複数のリングギヤのそれぞれから内部ギヤ歯によって定義される仮想ギヤ歯を有するトランスミッション。
【請求項３９】
請求項３７記載のトランスミッションにおいて、
前記入力トルクを受ける場合、複数の駆動ギヤの各々が各中心軸の周りを回転するように構成され、複数の駆動ギヤと複数の従動部材とのギヤ歯による噛合が複数の従動ギヤを回転させるように構成されているトランスミッション。
【請求項４０】
請求項３７記載のトランスミッションにおいて、
前記複数の駆動ギヤは、それらの中心軸の全周をそれぞれ回転するように構成されると共に、各駆動ギヤの外部にある共通軸を中心とする旋回経路の全周を集合的に旋回するように構成され、
前記複数の従動部材は、それらの中心軸周りをそれぞれ回転すると共に、所定の直動経路に沿って半径方向に直動するように構成され、前記所定の直動経路は、共通する中心の周りに角度間隔を空けて固定され、
前記複数の駆動ギヤは、複数の不連続の半径方向位置で前記複数の従動部材のそれぞれと実質的に常時噛合され、前記旋回経路の複数の不連続の長さで実質的に常時噛合されるトランスミッション。
【請求項４１】
請求項３７記載のトランスミッションにおいて、
複数の駆動ギヤは、入力トルクを受けて外部軸周りの選択的に変更可能な旋回経路に沿って集合的に移動するよう構成され、前記仮想ギヤの大きさが変わるにつれて前記旋回経路の大きさが変化するように構成されているトランスミッション。
【請求項４２】
請求項４１記載のトランスミッションにおいて、
前記仮想ギヤの中心は固定され、前記外部軸は前記仮想ギヤの中心を通るトランスミッション。
【請求項４３】
請求項３７記載のトランスミッションにおいて、
各不連続ギヤ比で、複数の駆動ギヤは、前記仮想ギヤとの常時噛合を集合的に維持するトランスミッション。
【請求項４４】
請求項４３記載のトランスミッションにおいて、
複数の駆動ギヤは、前記仮想ギヤの複数の不連続の大きさで前記仮想ギヤとの常時噛合を集合的に維持し、前記仮想ギヤの複数の不連続の大きさの各々は、ギヤ歯形状に対して完全なギヤ歯整数であるトランスミッション。